(57)【特許請求の範囲】
【請求項１】
搬送波集成を支援する無線通信システムにおける端末（ＵＥ）のモニタリング方法であって、前記方法は、
連続した無線リソースを含む第１セル及び不連続した無線リソースを含む第２セルに対して第１セルによってクロス−キャリアスケジューリングされる第１リソース区間の指示を受信することと、
前記第１セルのＰＤＳＣＨ（ｐｈｙｓｉｃａｌ  ｄｏｗｎｌｉｎｋ  ｓｈａｒｅｄ  ｃｈａｎｎｅｌ）のための第１制御情報と関連した、第２リソース区間において設定された第１検索領域上でブラインドデコードすることと、
前記第２セルのＰＤＳＣＨのための第２制御情報と関連した、前記第１リソース区間において設定された第２検索領域上でブラインドデコードすることと
を含み、
前記第２セルの前記ＰＤＳＣＨのための前記第２制御情報と関連した、前記第２リソース区間において設定された前記第２検索領域上でのブラインドデコーディングの未使用回数が、前記第１リソース区間を示す情報を検出するために用いられるように設定され、
前記第２リソース区間は、前記第２セルの無線リソースのうち前記第１リソース区間を除く無線リソースを含む、方法。
【請求項２】
前記ＵＥは、前記第２リソース区間における前記第２セルの前記ＰＤＳＣＨのための前記第２制御情報と関連した前記第１セルの前記第２検索領域上でのブラインドデコーディングを行わないように設定される、請求項１に記載の方法。
【請求項３】
前記ＵＥは、前記第２リソース区間における前記第２セルの前記ＰＤＳＣＨと関連した前記第２検索領域を構成しないように設定される、請求項１に記載の方法。
【請求項４】
前記第１セルは、免許帯域であり、
前記第２セルは、非免許帯域である、請求項１に記載の方法。
【請求項５】
前記第２セルの無線リソースは、特定の時間区間に亘って前記ＵＥのみによって占有される、請求項４に記載の方法。
【請求項６】
搬送波集成を支援する無線通信システムにおいてモニタリングを行う端末（ＵＥ）であって、前記ＵＥは、
無線周波数ユニットと、
プロセッサと
を備え、
前記プロセッサは、
連続した無線リソースを含む第１セル及び不連続した無線リソースを含む第２セルに対して第１セルによってクロス−キャリアスケジューリングされる第１リソース区間の指示を受信することと、
前記第１セルのＰＤＳＣＨ（ｐｈｙｓｉｃａｌ  ｄｏｗｎｌｉｎｋ  ｓｈａｒｅｄ  ｃｈａｎｎｅｌ）のための第１制御情報と関連した、第２リソース区間において設定された第１検索領域上でブラインドデコードすることと、
前記第２セルのＰＤＳＣＨのための第２制御情報と関連した、前記第１リソース区間において設定された第２検索領域上でブラインドデコードすることと
を行うように構成され、
前記第２セルの前記ＰＤＳＣＨのための前記第２制御情報と関連した、前記第２リソース区間において設定された前記第２検索領域上でのブラインドデコーディングの未使用回数が、前記第１リソース区間を示す情報を検出するために用いられるように設定され、
前記第２リソース区間は、前記第２セルの無線リソースのうち前記第１リソース区間を除く無線リソースを含む、ＵＥ。
【発明の詳細な説明】
【技術分野】
【０００１】
本発明は、無線通信システムに関し、特に、搬送波集成を支援する無線通信システムにおいて端末のモニタリング方法及びそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競合力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような議論に基づき、以下では、搬送波集成を支援する無線通信システムにおいて端末のモニタリング方法及び装置を提案する。
【０００８】
本発明で遂げようとする技術的課題は、上記の技術的課題に限定されず、言及していない他の技術的課題は、以下の記載から、本発明の属する技術の分野における通常の知識を有する者に明確に理解されるであろう。
【課題を解決するための手段】
【０００９】
上述した問題点を解決するための本発明の一態様である、搬送波集成（Ｃａｒｒｉｅｒ  Ａｇｇｒｅｇａｔｉｏｎ）を支援する無線通信システムにおいて端末のモニタリング方法は、連続した無線リソースで構成された第１セル及び不連続した無線リソースで構成された第２セルに対して、前記第１セルによってクロス−キャリアスケジューリング（Ｃｒｏｓｓ−Ｃａｒｒｉｅｒ  Ｓｃｈｅｄｕｌｉｎｇ）される第１リソース区間が示されるステップと、前記第１リソース区間上で、前記第２セルのＰＤＳＣＨ（Ｐｈｙｓｉｃａｌ  Ｄｏｗｎｌｉｎｋ  Ｓｈａｒｅｄ  Ｃｈａｎｎｅｌ）のための制御情報を、前記第１セルのＰＤＣＣＨ（Ｐｈｙｓｉｃａｌ  Ｄｏｗｎｌｉｎｋ  Ｃｏｎｔｒｏｌ  Ｃｈａｎｎｅｌ）上でブラインドデコードするステップとを含むことを特徴とする。
【００１０】
なお、上記方法は、第２リソース区間上で、ただ前記第１セルのＰＤＳＣＨと関連した前記第１セルのＰＤＣＣＨ上におけるブラインドデコーディングだけを行うステップをさらに含み、前記第２リソース区間は、前記第２セルの無線リソースのうち、前記第１リソース区間を除く無線リソースで構成されたことを特徴とする。
【００１１】
なお、前記端末は、前記第２リソース区間上で、前記第２セルのＰＤＳＣＨと関連した前記第１セルのＰＤＣＣＨ上におけるブラインドデコーディングを行わないように設定されたり、前記第２リソース区間上では、前記第１セルのＰＤＳＣＨと関連した検索領域（Ｓｅａｒｃｈ  Ｓｐａｃｅ）だけが設定されることを特徴とする。好ましくは、前記端末は、前記第２リソース区間上で前記第２セルのＰＤＳＣＨと関連した検索領域は構成されないように設定されたことを特徴とする。
【００１２】
なお、前記第２リソース区間上で前記第２セルのＰＤＳＣＨと関連した前記第１セルのＰＤＣＣＨ上のブラインドデコーディング回数は、前記第１セルのＰＤＳＣＨと関連した前記第１セルのＰＤＣＣＨ上のブラインドデコーディングのために再割り当てされるように設定されたことを特徴とする。好ましくは、前記第２セルのＰＤＳＣＨと関連した前記第１セルのＰＤＣＣＨ上のブラインドデコーディング回数は、同じ集成レベルに対応する前記第１セルのＰＤＳＣＨと関連した前記第１セルのＰＤＣＣＨ上のブラインドデコーディングのために再割り当てされるように設定されたことを特徴とする。
【００１３】
なお、前記第２リソース区間上で前記第２セルのＰＤＳＣＨと関連した前記第１セルのＰＤＣＣＨ上のブラインドデコーディング回数は、前記第１リソース区間を示す情報を検出するために用いられるように設定されたことを特徴とする。
【００１４】
なお、前記第１セルは、免許帯域（Ｌｉｃｅｎｓｅｄ  ｂａｎｄ）であり、前記第２セルは、非免許帯域（Ｕｎｌｉｃｅｎｓｅｄ  ｂａｎｄ）であることを特徴とする。
【００１５】
なお、前記第２セルの無線リソースは、前記端末のみによって占有されることを特徴とする。
【００１６】
上述した問題点を解決するための本発明の他の態様である、搬送波集成（Ｃａｒｒｉｅｒ  Ａｇｇｒｅｇａｔｉｏｎ）を支援する無線通信システムにおいてモニタリングを行う端末は、無線周波数ユニットと、プロセッサとを備え、前記プロセッサは、連続した無線リソースで構成された第１セル及び不連続した無線リソースで構成された第２セルに対して、前記第１セルによってクロス−キャリアスケジューリング（Ｃｒｏｓｓ−Ｃａｒｒｉｅｒ  Ｓｃｈｅｄｕｌｉｎｇ）される第１リソース区間が示され、前記第１リソース区間上で、前記第２セルのＰＤＳＣＨ（Ｐｈｙｓｉｃａｌ  Ｄｏｗｎｌｉｎｋ  Ｓｈａｒｅｄ  Ｃｈａｎｎｅｌ）のための制御情報を、前記第１セルのＰＤＣＣＨ（Ｐｈｙｓｉｃａｌ  Ｄｏｗｎｌｉｎｋ  Ｃｏｎｔｒｏｌ  Ｃｈａｎｎｅｌ）上でブラインドデコードするよう構成されることを特徴とする。
本明細書は、例えば、以下の項目も提供する。
（項目１）
搬送波集成（Ｃａｒｒｉｅｒ  Ａｇｇｒｅｇａｔｉｏｎ）を支援する無線通信システムにおいて端末のモニタリング方法であって、
連続した無線リソースで構成された第１セル及び不連続した無線リソースで構成された第２セルに対して、前記第１セルによってクロス−キャリアスケジューリング（Ｃｒｏｓｓ−Ｃａｒｒｉｅｒ  Ｓｃｈｅｄｕｌｉｎｇ）される第１リソース区間が示されるステップと、
前記第１リソース区間上で、前記第２セルのＰＤＳＣＨ（Ｐｈｙｓｉｃａｌ  Ｄｏｗｎｌｉｎｋ  Ｓｈａｒｅｄ  Ｃｈａｎｎｅｌ）のための制御情報を、前記第１セルのＰＤＣＣＨ（Ｐｈｙｓｉｃａｌ  Ｄｏｗｎｌｉｎｋ  Ｃｏｎｔｒｏｌ  Ｃｈａｎｎｅｌ）上でブラインドデコードするステップと、
を含む、モニタリング方法。
（項目２）
第２リソース区間上で、前記第１セルのＰＤＳＣＨと関連した前記第１セルのＰＤＣＣＨ上におけるブラインドデコーディングだけを行うステップをさらに含み、
前記第２リソース区間は、
前記第２セルの無線リソースのうち、前記第１リソース区間を除く無線リソースで構成されたことを特徴とする、項目１に記載のモニタリング方法。
（項目３）
前記端末は、前記第２リソース区間上で、前記第２セルのＰＤＳＣＨと関連した前記第１セルのＰＤＣＣＨ上におけるブラインドデコーディングを行わないように設定されたことを特徴とする、項目２に記載のモニタリング方法。
（項目４）
前記第２リソース区間上では、前記第１セルのＰＤＳＣＨと関連した検索領域（Ｓｅａｒｃｈ  Ｓｐａｃｅ）だけが設定されることを特徴とする、項目２に記載のモニタリング方法。
（項目５）
前記端末は、前記第２リソース区間上で、前記第２セルのＰＤＳＣＨと関連した検索領域は構成されないように設定されたことを特徴とする、項目４に記載のモニタリング方法。
（項目６）
前記第２リソース区間上で、前記第２セルのＰＤＳＣＨと関連した前記第１セルのＰＤＣＣＨ上のブラインドデコーディング回数は、前記第１セルのＰＤＳＣＨと関連した前記第１セルのＰＤＣＣＨ上のブラインドデコーディングのために再割り当てされるように設定されたことを特徴とする、項目２に記載のモニタリング方法。
（項目７）
前記第２セルのＰＤＳＣＨと関連した前記第１セルのＰＤＣＣＨ上のブラインドデコーディング回数は、同じ集成レベルに対応する前記第１セルのＰＤＳＣＨと関連した前記第１セルのＰＤＣＣＨ上のブラインドデコーディングのために再割り当てされるように設定されたことを特徴とする、項目６に記載のモニタリング方法。
（項目８）
前記第２リソース区間上で、前記第２セルのＰＤＳＣＨと関連した前記第１セルのＰＤＣＣＨ上のブラインドデコーディング回数は、前記第１リソース区間を示す情報を検出するために用いられるように設定されたことを特徴とする、項目２に記載のモニタリング方法。
（項目９）
前記第１セルは、免許帯域（Ｌｉｃｅｎｓｅｄ  ｂａｎｄ）であり、
前記第２セルは、非免許帯域（Ｕｎｌｉｃｅｎｓｅｄ  ｂａｎｄ）であることを特徴とする、項目１に記載の信号送受信方法。
（項目１０）
前記第２セルの無線リソースは、前記端末のみによって占有されることを特徴とする、項目１に記載の信号送受信方法。
（項目１１）
搬送波集成（Ｃａｒｒｉｅｒ  Ａｇｇｒｅｇａｔｉｏｎ）を支援する無線通信システムにおいてモニタリングを行う端末であって、
無線周波数ユニットと、
プロセッサと、
を備え、
前記プロセッサは、
連続した無線リソースで構成された第１セル及び不連続した無線リソースで構成された第２セルに対して、前記第１セルによってクロス−キャリアスケジューリング（Ｃｒｏｓｓ−Ｃａｒｒｉｅｒ  Ｓｃｈｅｄｕｌｉｎｇ）される第１リソース区間が示され、
前記第１リソース区間上で、前記第２セルのＰＤＳＣＨ（Ｐｈｙｓｉｃａｌ  Ｄｏｗｎｌｉｎｋ  Ｓｈａｒｅｄ  Ｃｈａｎｎｅｌ）のための制御情報を、前記第１セルのＰＤＣＣＨ（Ｐｈｙｓｉｃａｌ  Ｄｏｗｎｌｉｎｋ  Ｃｏｎｔｒｏｌ  Ｃｈａｎｎｅｌ）上でブラインドデコードするよう構成された、端末。
【発明の効果】
【００１７】
本発明の実施例によれば、搬送波集成を支援する無線通信システムにおいて端末のモニタリングを効率的に行うことができる。
【００１８】
本発明から得られる効果は、以上で言及した効果に限定されず、言及していない他の効果は、以下の記載から、本発明の属する技術の分野における通常の知識を有する者にとって明確になるであろう。
【図面の簡単な説明】
【００１９】
本発明に関する理解を容易にするために詳細な説明の一部として含まれる添付の図面は、本発明に関する実施例を提供し、詳細な説明と共に本発明の技術的思想を説明する。
【００２０】
【図１】無線通信システムの一例としてＥ−ＵＭＴＳネットワーク構造を概略的に例示する図である。
【００２１】
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を例示する図である。
【００２２】
【図３】３ＧＰＰシステムに用いられる物理チャネル及びこれらのチャネルを用いた一般的な信号伝送方法を例示する図である。
【００２３】
【図４】ＬＴＥシステムにおいて用いられる無線フレームの構造を例示する図である。
【００２４】
【図５】下りリンクスロットにおけるリソースグリッド（ｒｅｓｏｕｒｃｅ  ｇｒｉｄ）を例示する図である。
【００２５】
【図６】ＬＴＥシステムにおいて用いられる下りリンク無線フレームの構造を例示する図である。
【００２６】
【図７】ＬＴＥシステムにおいて下りリンク制御チャネルを構成するために用いられるリソース単位を示す図である。
【００２７】
【図８】ＬＴＥシステムにおいて用いられる上りリンクサブフレームの構造を例示する図である。
【００２８】
【図９】搬送波集成（Ｃａｒｒｉｅｒ  Ａｇｇｒｅｇａｔｉｏｎ；ＣＡ）通信システムを例示する図である。
【００２９】
【図１０】複数のキャリアがまとめられた場合のスケジューリングを例示する図である。
【００３０】
【図１１】免許帯域（ｌｉｃｅｎｓｅｄ  ｂａｎｄ）及び非免許帯域（ｕｎｌｉｃｅｎｓｅｄ  ｂａｎｄ）の搬送波集成の状況下で、ｅＮＢがＵＥに信号を送信したりＵＥがｅＮＢに信号を送信する場合を示す図である。
【００３１】
【図１２】本発明に係る予約リソース区間を示す図である。
【００３２】
【図１３】本発明の一実施例に適用可能な基地局及び端末を示す図である。
【発明を実施するための形態】
【００３３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００３４】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００３５】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００３６】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００３８】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ遊休状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３９】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００４０】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４１】
図３は、３ＧＰＰ  ＬＴＥシステムに用いられる物理チャネル及びそれらを用いた一般的な信号送信方法を説明するための図である。
【００４２】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００４３】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００４４】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００４５】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００４６】
図４は、ＬＴＥシステムにおいて用いられる無線フレームの構造を例示する図である。
【００４７】
図４を参照すると、セルラーＯＦＤＭ無線パケット通信システムにおいて、上りリンク／下りリンクデータパケット伝送は、サブフレーム（ｓｕｂｆｒａｍｅ）単位で行われ、１サブフレームは、複数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００４８】
図４の（ａ）には、タイプ１無線フレームの構造を例示する。下りリンク無線フレーム（ｒａｄｉｏ  ｆｒａｍｅ）は１０個のサブフレーム（ｓｕｂｆｒａｍｅ）から構成され、１個のサブフレームは時間領域（ｔｉｍｅ  ｄｏｍａｉｎ）において２個のスロット（ｓｌｏｔ）から構成される。１サブフレームの送信にかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓとし、１スロットの長さを０．５ｍｓとすることができる。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムにおいては下りリンクでＯＦＤＭＡを用いることから、ＯＦＤＭシンボルが１シンボル区間を表す。また、ＯＦＤＭシンボルをＳＣ−ＦＤＭＡシンボル又はシンボル区間と呼ぶこともできる。リソース割り当て単位としてのリソースブロック（ＲＢ）は、１スロットにおいて複数個の連続した副搬送波（ｓｕｂｃａｒｒｉｅｒ）を含むことができる。
【００４９】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってもよい。ＯＦＤＭシンボルが拡張されたＣＰによって構成された場合、１つのＯＦＤＭシンボルの長さが増えるため、１スロットに含まれるＯＦＤＭシンボルの数は、標準ＣＰの場合に比べて少ない。拡張されたＣＰの場合に、例えば、１スロットに含まれるＯＦＤＭシンボルの数は６個であってもよい。ユーザ機器が高速で移動するなどの場合のようにチャネル状態が不安定な場合、シンボル間干渉をより減らすために、拡張されたＣＰを用いることができる。
【００５０】
標準ＣＰが用いられる場合、１スロットが７  ＯＦＤＭシンボルを含むので、１サブフレームは１４  ＯＦＤＭシンボルを含む。このとき、各サブフレームにおいて先頭の最大で３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられ得る。
【００５１】
図４の（ｂ）にはタイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００５２】
特別サブフレームにおいて、ＤｗＰＴＳはユーザ機器での初期セル探索、同期化又はチャネル推定に用いられる。ＵｐＰＴＳは、基地局でのチャネル推定とユーザ機器の上りリンク伝送同期化に用いられる。すなわち、ＤｗＰＴＳは下りリンク伝送に用いられ、ＵｐＰＴＳは上りリンク伝送に用いられる。特に、ＵｐＰＴＳはＰＲＡＣＨプリアンブルやＳＲＳの伝送のために用いられる。また、保護区間は、上りリンクと下りリンクとの間に下りリンク信号の多重経路遅延によって上りリンクにおいて生じる干渉を除去するための区間である。
【００５３】
上記の特別サブフレームに関して、現在、３ＧＰＰ標準文書では次表１のように設定を定義している。表１で、Ｔｓ＝１／（１５００×２０４８）の場合に、ＤｗＰＴＳとＵｐＰＴＳを表し、残りの領域が保護区間として設定される。
【表１】
0006454004.tif 000002
【００５４】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は次表２のとおりである。
【表２】
0006454004.tif 000003
【００５５】
上記の表２で、Ｄは下りリンクサブフレーム、Ｕは上りリンクサブフレームを表し、Ｓは上記の特別サブフレームを意味する。また、上記の表２は、各上りリンク／下りリンクサブフレーム設定において下りリンク−上りリンクスイッチング周期も表している。
【００５６】
上述した無線フレームの構造は例示に過ぎず、無線フレームに含まれるサブフレームの数、サブフレームに含まれるスロットの数、又はスロットに含まれるシンボルの数は様々に変更されてもよい。
【００５７】
図５には、下りリンクスロットに対するリソースグリッド（ｒｅｓｏｕｒｃｅ  ｇｒｉｄ）を例示する。
【００５８】
図５を参照すると、下りリンクスロットは、時間領域でＮＤＬｓｙｍｂのＯＦＤＭシンボルを含み、周波数領域でＮＤＬＲＢのリソースブロックを含む。それぞれのリソースブロックがＮＲＢｓｃの副搬送波を含むので、下りリンクスロットは、周波数領域でＮＤＬＲＢ×ＮＲＢｓｃの副搬送波を含む。図５は、下りリンクスロットが７個のＯＦＤＭシンボルを含み、リソースブロックが１２個の副搬送波を含む例を示しているが、必ずしもこれに限定されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００５９】
リソースグリッド上の各要素をリソース要素（Ｒｅｓｏｕｒｃｅ  Ｅｌｅｍｅｎｔ；ＲＥ）とし、１つのリソース要素は、１つのＯＦＤＭシンボルインデックス及び１つの副搬送波インデックスで示される。１つのＲＢは、ＮＤＬｓｙｍｂ×ＮＲＢｓｃのリソース要素で構成されている。下りリンクスロットに含まれるリソースブロックの数（ＮＤＬＲＢ）は、セルにおいて設定される下りリンク伝送帯域幅（ｂａｎｄｗｉｄｔｈ）に従属する。
【００６０】
図６には下りリンクサブフレームの構造を例示する。
【００６１】
図６を参照すると、サブフレームの１番目のスロットで先頭に位置している最大で３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの最初のＯＦＤＭシンボルで送信され、サブフレーム内で制御チャネルの伝送に用いられるＯＦＤＭシンボルの個数に関する情報を搬送する。ＰＨＩＣＨは、上りリンク伝送に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を搬送する。
【００６２】
ＰＤＣＣＨで送信される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは、ユーザ機器又はユーザ機器グループのためのリソース割り当て情報及び他の制御情報を含む。例えば、ＤＣＩは、上りリンク／下りリンクスケジューリング情報、上りリンク伝送（Ｔｘ）電力制御命令などを含む。
【００６３】
ＰＤＣＣＨは、下りリンク共有チャネル（ｄｏｗｎｌｉｎｋ  ｓｈａｒｅｄ  ｃｈａｎｎｅｌ；ＤＬ−ＳＣＨ）の伝送フォーマット及びリソース割り当て情報、上りリンク共有チャネル（ｕｐｌｉｎｋ  ｓｈａｒｅｄ  ｃｈａｎｎｅｌ；ＵＬ−ＳＣＨ）の伝送フォーマット及びリソース割り当て情報、ページングチャネル（ｐａｇｉｎｇ  ｃｈａｎｎｅｌ；ＰＣＨ）上のページング情報、ＤＬ−ＳＣＨ上のシステム情報、ＰＤＳＣＨ上で送信されるランダム接続応答のような上位層制御メッセージのリソース割り当て情報、ユーザ機器グループ内の個別ユーザ機器に対する伝送電力制御命令セット、伝送電力制御命令、ＶｏＩＰ（Ｖｏｉｃｅ  ｏｖｅｒ  ＩＰ）の活性化指示情報などを搬送する。複数のＰＤＣＣＨが制御領域内で送信され得る。ユーザ機器は複数のＰＤＣＣＨをモニタすることができる。ＰＤＣＣＨは１つ又は複数の連続した制御チャネル要素（ｃｏｎｔｒｏｌ  ｃｈａｎｎｅｌ  ｅｌｅｍｅｎｔ；ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割り当てユニットである。ＣＣＥは、複数のリソース要素グループ（ｒｅｓｏｕｒｃｅ  ｅｌｅｍｅｎｔ  ｇｒｏｕｐ；ＲＥＧ）に対応する。ＰＤＣＣＨのフォーマット及びＰＤＣＣＨビットの個数はＣＣＥの個数によって決定される。基地局はユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣはＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定ユーザ機器のためのものであれば、当該ユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ＳＩＣ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダム接続応答のためのものであれば、ＲＡ−ＲＮＴＩ（ｒａｎｄｏｍ  ａｃｃｅｓｓ−ＲＮＴＩ）をＣＲＣにマスクすることができる。
【００６４】
図７に、ＬＴＥシステムにおいて下りリンク制御チャネルを構成するために用いられるリソース単位を示す。特に、図７の（ａ）は、基地局の送信アンテナの数が１又は２個である場合を示しており、図７の（ｂ）は、基地局の送信アンテナの数が４個である場合を示している。送信アンテナの数によってＲＳ（Ｒｅｆｅｒｅｎｃｅ  Ｓｉｇｎａｌ）パターンが異なるだけで、制御チャネルに関連したリソース単位の設定方法は同一である。
【００６５】
図７を参照すると、下りリンク制御チャネルの基本リソース単位は、ＲＥＧ（Ｒｅｓｏｕｒｃｅ  Ｅｌｅｍｅｎｔ  Ｇｒｏｕｐ）である。ＲＥＧは、ＲＳを除いて４個の隣り合うリソース要素（ＲＥ）で構成される。同図で、ＲＥＧは太線で表している。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔｓ）単位で構成され、１個ＣＣＥは９個のＲＥＧを含む。
【００６６】
端末は、Ｌ個のＣＣＥからなるＰＤＣＣＨが自身に送信されるかを確認するために、Ｍ（Ｌ）（≧Ｌ）個の連続したり又は特定規則で配置されたＣＣＥを確認するように設定される。端末がＰＤＣＣＨ受信のために考慮すべきＬ値は複数であってもよい。端末がＰＤＣＣＨ受信のために確認すべきＣＣＥ集合を検索領域（ｓｅａｒｃｈ  ｓｐａｃｅ）という。一例として、ＬＴＥシステムでは検索領域を表３のように定義している。
【表３】
0006454004.tif 000004
【００６７】
ここで、ＣＣＥ集成レベルＬは、ＰＤＣＣＨを構成するＣＣＥの個数を表し、Ｓｋ（Ｌ）は、ＣＣＥ集成レベルＬの検索領域を表し、Ｍ（Ｌ）は、集成レベルＬの検索領域においてモニタすべき候補ＰＤＣＣＨの個数である。
【００６８】
検索領域は、特定端末に対してのみ接近が許容される端末特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別することができる。端末は、ＣＣＥ集成レベルが４及び８である共通検索領域をモニタし、ＣＣＥ集成レベルが１、２、４及び８である端末−特定検索領域をモニタする。共通検索領域及び端末特定検索領域はオーバーラップしてもよい。
【００６９】
また、各ＣＣＥ集成レベル値に対して任意の端末に与えられるＰＤＣＣＨ検索領域において最初の（最も小さいインデックスを有する）ＣＣＥの位置は、端末別に毎サブフレームごとに変化する。これをＰＤＣＣＨ検索領域ハッシュ（ｈａｓｈｉｎｇ）という。
【００７０】
上記ＣＣＥはシステム帯域に分散されてもよい。より具体的に、論理的に連続した複数のＣＣＥをインタリーバー（ｉｎｔｅｒｌｅａｖｅｒ）に入力することができ、該インタリーバーは、入力された複数のＣＣＥをＲＥＧ単位で並び変える機能を果たす。このため、１つのＣＣＥを構成する周波数／時間リソースが物理的にサブフレームの制御領域内で周波数／時間領域に亘って散在して分布する。その結果、制御チャネルはＣＣＥ単位で構成されるが、インタリービングがＲＥＧ単位で行われるため、周波数ダイバーシチ（ｄｉｖｅｒｓｉｔｙ）及び干渉ランダム化（ｉｎｔｅｒｆｅｒｅｎｃｅ  ｒａｎｄｏｍｉｚａｔｉｏｎ）利得を最大化することができる。
【００７１】
図８には、ＬＴＥで用いられる上りリンクサブフレームの構造を例示する。
【００７２】
図８を参照すると、上りリンクサブフレームは複数（例、２個）のスロットを含む。スロットはＣＰ長によって異なる数のＳＣ−ＦＤＭＡシンボルを含むことができる。上りリンクサブフレームは周波数領域でデータ領域と制御領域とに区別される。データ領域はＰＵＳＣＨを含み、音声などのデータ信号を送信するために用いられる。制御領域はＰＵＣＣＨを含み、上りリンク制御情報（Ｕｐｌｉｎｋ  Ｃｏｎｔｒｏｌ  Ｉｎｆｏｒｍａｔｉｏｎ；ＵＣＩ）を送信するために用いられる。ＰＵＣＣＨは周波数軸でデータ領域の両端部に位置しているＲＢ対（ＲＢ  ｐａｉｒ）を含み、スロットを境界にホップする。
【００７３】
ＰＵＣＣＨを次の制御情報を送信するために用いることができる。
【００７４】
−  ＳＲ（Ｓｃｈｅｄｕｌｉｎｇ  Ｒｅｑｕｅｓｔ）：上りリンクＵＬ−ＳＣＨリソースを要求するために用いる情報である。ＯＯＫ（Ｏｎ−Ｏｆｆ  Ｋｅｙｉｎｇ）方式で送信される。
【００７５】
−  ＨＡＲＱ  ＡＣＫ／ＮＡＣＫ：ＰＤＳＣＨ上の下りリンクデータパケットに対する応答信号である。下りリンクデータパケットの受信に成功したか否かを示す。単一下りリンクコードワードに対する応答として１ビットのＡＣＫ／ＮＡＣＫが送信され、２つの下りリンクコードワードに対する応答として２ビットのＡＣＫ／ＮＡＣＫが送信される。
【００７６】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが用いられる。
【００７７】
ユーザ機器がサブフレームで伝送可能な制御情報（ＵＣＩ）の量は、制御情報伝送に使用可能なＳＣ−ＦＤＭＡの個数に依存する。制御情報伝送に使用可能なＳＣ−ＦＤＭＡは、サブフレームにおいて参照信号の伝送のためのＳＣ−ＦＤＭＡシンボルを除くＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除く。参照信号はＰＵＣＣＨのコヒーレント検出に用いられる。
【００７８】
図９には、搬送波集成（Ｃａｒｒｉｅｒ  Ａｇｇｒｅｇａｔｉｏｎ；ＣＡ）通信システムを例示する。
【００７９】
図９を参照すると、複数の上りリンク／下りリンクコンポーネントキャリア（Ｃｏｍｐｏｎｅｎｔ  Ｃａｒｒｉｅｒ；ＣＣ）を束ねてより広い上りリンク／下りリンク帯域幅をサポートすることができる。用語「コンポーネントキャリア（ＣＣ）」は、等価の他の用語（例、キャリア、セルなど）に言い換えてもよい。各ＣＣは周波数領域で互いに隣接しても非隣接してもよい。各コンポーネントキャリアの帯域幅は、独立して定められてもよい。ＵＬ  ＣＣの個数とＤＬ  ＣＣの個数とが異なる非対称の搬送波集成も可能である。一方、制御情報は、特定ＣＣでのみ送受信されるように設定されてもよい。このような特定のＣＣをプライマリＣＣ（又はアンカーＣＣ）と呼び、残りのＣＣをセカンダリＣＣと呼ぶことができる。
【００８０】
クロス−キャリアスケジューリング（又は、クロス−ＣＣスケジューリング）が適用される場合、下りリンク割り当てのためのＰＤＣＣＨはＤＬ  ＣＣ＃０で送信され、該当のＰＤＳＣＨはＤＬ  ＣＣ＃２で送信されてもよい。クロス−ＣＣスケジューリングのために、キャリア指示フィールド（ｃａｒｒｉｅｒ  ｉｎｄｉｃａｔｏｒ  ｆｉｅｌｄ；ＣＩＦ）の導入を考慮することができる。ＰＤＣＣＨ内でＣＩＦが存在するか否かは、上位層シグナリング（例、ＲＲＣシグナリング）によって半−静的及び端末−特定（又は端末グループ−特定）方式で設定されてもよい。ＰＤＣＣＨ送信のベースラインを要約すると、次のとおりである。
■ＣＩＦディセーブルド（ｄｉｓａｂｌｅｄ）：ＤＬ  ＣＣ上のＰＤＣＣＨは、同じＤＬ  ＣＣ上のＰＤＳＣＨリソースを割り当てたり、一つのリンクされたＵＬ  ＣＣ上のＰＵＳＣＨリソースを割り当てる。
●  Ｎｏ  ＣＩＦ
●  ＬＴＥ  ＰＤＣＣＨ構造（同じ符号化、同じＣＣＥベースのリソースマッピング）及びＤＣＩフォーマットと同一である。
■  ＣＩＦイネーブルド（ｅｎａｂｌｅｄ）：ＤＬ  ＣＣ上のＰＤＣＣＨはＣＩＦを用いて、複数の併合されたＤＬ／ＵＬ  ＣＣのうち特定のＤＬ／ＵＬ  ＣＣ上のＰＤＳＣＨ又はＰＵＳＣＨリソースを割り当てることができる。
●  ＣＩＦを有する拡張されたＬＴＥ  ＤＣＩフォーマット
−  ＣＩＦ（設定される場合）は、固定されたｘ−ビットフィールド（例、ｘ＝３）
−  ＣＩＦ（設定される場合）位置は、ＤＣＩフォーマットサイズに関係なく固定される。
●  ＬＴＥ  ＰＤＣＣＨ構造を再使用（同じ符号化、同じＣＣＥベースのリソースマッピング）
【００８１】
ＣＩＦが存在する場合、基地局は、端末側のＢＤ複雑度を下げるために、ＰＤＣＣＨモニタリングＤＬ  ＣＣセットを割り当てることができる。ＰＤＣＣＨモニタリングＤＬ  ＣＣセットは、併合された全ＤＬ  ＣＣの一部であって、一つ以上のＤＬ  ＣＣを含み、端末は、該当のＤＬ  ＣＣ上でＰＤＣＣＨの検出／復号化を行う。すなわち、基地局が端末にＰＤＳＣＨ／ＰＵＳＣＨをスケジュールする場合、ＰＤＣＣＨは、ＰＤＣＣＨモニタリングＤＬ  ＣＣセットでのみ送信される。ＰＤＣＣＨモニタリングＤＬ  ＣＣセットは、端末−特定（ＵＥ−ｓｐｅｃｉｆｉｃ）、端末−グループ−特定、又はセル−特定（ｃｅｌｌ−ｓｐｅｃｉｆｉｃ）の方式で設定されてもよい。用語“ＰＤＣＣＨモニタリングＤＬ  ＣＣ”は、モニタリングキャリア、モニタリングセルなどの等価の用語に代えてもよい。また、端末のために併合されたＣＣは、サービングＣＣ、サービングキャリア、サービングセルなどの等価の用語に代えてもよい。
【００８２】
図１０には、複数のキャリアがまとめられた場合のスケジューリングを例示する。３個のＤＬ  ＣＣが併合されたと仮定する。ＤＬ  ＣＣ  ＡがＰＤＣＣＨモニタリングＤＬ  ＣＣとして設定されたと仮定する。ＤＬ  ＣＣ  Ａ〜Ｃを、サービングＣＣ、サービングキャリア、サービングセルなどと呼ぶことができる。ＣＩＦがディセーブルされた場合、各ＤＬ  ＣＣは、ＬＴＥ  ＰＤＣＣＨ設定によって、ＣＩＦ無しで、自身のＰＤＳＣＨをスケジュールするＰＤＣＣＨだけを送信することができる。一方、端末−特定（又は端末−グループ−特定又はセル−特定）上位層シグナリングによってＣＩＦがイネーブルされた場合、ＤＬ  ＣＣ  Ａ（モニタリングＤＬ  ＣＣ）は、ＣＩＦを用いて、ＤＬ  ＣＣ  ＡのＰＤＳＣＨをスケジュールするＰＤＣＣＨの他、別のＣＣのＰＤＳＣＨをスケジュールするＰＤＣＣＨも送信することができる。この場合、ＰＤＣＣＨモニタリングＤＬ  ＣＣとして設定されていないＤＬ  ＣＣ  Ｂ／Ｃでは、ＰＤＣＣＨが送信されない。したがって、ＤＬ  ＣＣ  Ａ（モニタリングＤＬ  ＣＣ）は、ＤＬ  ＣＣ  Ａと関連付いたＰＤＣＣＨ検索領域、ＤＬ  ＣＣ  Ｂと関連付いたＰＤＣＣＨ検索領域、及びＤＬ  ＣＣ  Ｃと関連付いたＰＤＣＣＨ検索領域を全て含まなければならない。本明細書で、ＰＤＣＣＨ検索領域はキャリア別に定義されると仮定する。
【００８３】
上述したように、ＬＴＥ−Ａは、クロス−ＣＣスケジューリングのためにＰＤＣＣＨ内でＣＩＦの使用を考慮している。ＣＩＦを使用するか否か（すなわち、クロス−ＣＣスケジューリングモード又はノン−クロス−ＣＣスケジューリングモードのサポート）及びモード間切換は、ＲＲＣシグナリングで半−静的／端末−特定に設定することができ、当該ＲＲＣシグナリング過程を経た後、端末は、自身にスケジュールされるＰＤＣＣＨ内にＣＩＦが用いられるか否かを認識することができる。
【００８４】
以下ではＬＴＥ−Ｕ（ＬＴＥ  ｉｎ  ｕｎｌｉｃｅｎｓｅｄ  ｂａｎｄ）について説明する。
【００８５】
より多くの通信機器がより大きい通信容量を要求することにより、次期の無線通信システムにおいて、限られた周波数帯域の効率的な活用はより一層重要な要件となっている。
【００８６】
このため、ＬＴＥシステムのようなセルラー（Ｃｅｌｌｕａｒ）通信システムも、既存のＷｉＦｉシステムが用いる２．４ＧＨｚ帯域のような非免許（ｕｎｌｉｃｅｎｓｅｄ）帯域や新しく注目されている５ＧＨｚ帯域のような非免許（ｕｎｌｉｃｅｎｓｅｄ）帯域をトラフィックオフローディング（ｏｆｆｌｏａｄｉｎｇ）に活用する方案について論議している。
【００８７】
基本的に、非免許（ｕｎｌｉｃｅｎｓｅｄ）帯域は、各通信ノードが競合して無線送受信を行う方式を仮定しているため、各通信ノードが信号を送信する前にチャネルセンシング（ｃｈａｎｎｅｌ  ｓｅｎｓｉｎｇ）を行って、他の通信ノードが信号伝送をしないことを確認することを要求している。これをＣＣＡ（ｃｌｅａｒ  ｃｈａｎｎｅｌ  ａｓｓｅｓｓｍｅｎｔ）と呼ぶ。ＬＴＥシステムのｅＮＢやＵＥも非免許（ｕｎｌｉｃｅｎｓｅｄ）帯域（以下、ＬＴＥ−Ｕ帯域）で信号を送信するためには、ＣＣＡを行う必要がある。
【００８８】
より詳しくは、免許帯域は、通信事業者が競売又は購買などの手続きによって独占的に周波数使用権を確保した周波数帯域を意味することができる。すなわち、免許帯域において該当する特定周波数帯域は、免許帯域に対する権利を取得した特定の主体だけが利用でき、他のユーザ又は事業者は免許帯域における周波数を利用できない。
【００８９】
一方、非免許帯域は、独占的に使用権が保障されない領域を意味することができる。このとき、一例として、非免許帯域は、多数の通信設備又はシステムが共存して用いられ得る周波数帯域を意味してもよい。このとき、一例として、非免許帯域は、一定レベル以上の隣接帯域の保護及び帯域内干渉関連規定さえ守れば、多数の通信設備も制限なく用いられ得るため、独占的使用権の保障された免許帯域で通信サービスが提供し得るレベルの通信品質を確保し難い場合がある。
【００９０】
他の一例として、非免許帯域は時間的及び空間的な特徴を考慮して設定される領域であってもよい。このとき、一例として、特定周波数帯域を特定事業者が利用している場合であっても、一定の条件下に時間的に又は空間的に、周波数帯域を用いる特定事業者の電波に影響を及ぼさない場合であれば、上述した特定周波数帯域は非免許帯域であってもよい。このとき、一例として、ＴＶホワイトスペースのように、ＴＶ放送などを阻害しない条件下で、非認可されたデバイスに対して使用が許可された周波数帯域は、上述した非免許帯域であってもよい。
【００９１】
すなわち、非免許帯域は、免許帯域と違い、独占的に占有されない周波数領域を意味でき、上述した実施例に限定されない。また、非免許帯域は複数のユーザによって用いられ得るということから、キャリアセンシングなどのような条件及びその他の制約に基づいて用いられる領域であってもよく、以下ではこのような非免許帯域の特徴を考慮して実施例を述べる。
【００９２】
また、ＬＴＥシステムのｅＮＢやＵＥが信号を送信する際に、ＷｉＦｉなど他の通信ノードもＣＣＡを行って干渉を起こさないようにしなければならない。例えば、ＷｉＦｉ標準（８０１．１１ａｃ）においてＣＣＡ閾値（ＣＣＡ  ｔｈｒｅｓｈｏｌｄ）は、ｎｏｎ−ＷｉＦｉ信号に対して−６２ｄＢｍ、ＷｉＦｉ信号に対して−８２ｄＢｍと規定されており、これは、ＳＴＡ（Ｓｔａｔｉｏｎ）やＡＰ（Ａｃｃｅｓｓ  Ｐｏｉｎｔ）は、ＷｉＦｉ以外の信号が−６２ｄＢｍ以上の電力で受信されると、干渉を起こさないように信号伝送をしないことを意味する。さらに、ＷｉＦｉシステムにおいてＳＴＡやＡＰは、４ｕｓ以上に亘ってＣＣＡ閾値（ＣＣＡ  ｔｈｒｅｓｈｏｌｄ）以上の信号を検出しないと、ＣＣＡを行って信号伝送を行ってもよい。
【００９３】
以下、本発明で記述する基地局の名称は、ＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な用語として使われる。
【００９４】
以下では説明の便宜のために、３ＧＰＰ  ＬＴＥシステムに基づいて提案方式を説明する。ただし、提案方式が適用されるシステムの範囲は、３ＧＰＰ  ＬＴＥシステム以外のシステム（例えば、ＵＴＲＡなど）にも拡張可能である。
【００９５】
本発明では、特定システムの独占的な使用が保障されない非免許帯域（ｕｎｌｉｃｅｎｓｅｄ  ｂａｎｄ）の場合のように、可用リソース区間が非周期的或いは不連続的に確保されたり構成されるセル（ｃｅｌｌ）／キャリア（ｃａｒｒｉｅｒ）におけるリソース区間設定方法及びそれに伴うＵＥ動作を説明する。
【００９６】
図１１は、免許帯域（ｌｉｃｅｎｓｅｄ  ｂａｎｄ）であるＬＴＥ−Ａ  Ｂａｎｄと非免許帯域（ｕｎｌｉｃｅｎｓｅｄ  ｂａｎｄ；以下、“ＬＴＥ−Ｕ  Ｂａｎｄ”という。）の搬送波集成の状況下で、ｅＮＢがＵＥに信号を送信したりＵＥがｅＮＢに信号を送信する場合を示す。
【００９７】
以下の説明では本発明に関する説明の便宜のために、図１０のように，ＵＥが免許帯域と非免許帯域のそれぞれにおいて２つのコンポーネントキャリア（ｃｏｍｐｏｎｅｎｔ  ｃａｒｒｉｅｒ；ＣＣ）で無線通信を行うよう設定された状況を仮定する。ここで、免許帯域の搬送波は主コンポーネントキャリア（Ｐｒｉｍａｒｙ  ＣＣ；ＰＣＣ或いはＰＣｅｌｌという。）、非免許帯域の搬送波は副コンポーネントキャリア（Ｓｅｃｏｎｄａｒｙ  ＣＣ；ＳＣＣ或いはＳＣｅｌｌという。）として適用することができる。
【００９８】
しかし、本発明の実施例は複数個の免許帯域と複数個の非免許帯域とが搬送波集成技法で用いられる状況においても拡張して適用可能であり、また、非免許帯域だけでｅＮＢとＵＥとの信号送受信が行われる場合においても適用可能である。また、本発明の実施例は、３ＧＰＰ  ＬＴＥシステムに限定されず、他の特性のシステム上でも拡張適用が可能である。
【００９９】
ＬＴＥ−Ｕ  ｂａｎｄで基地局と端末が通信を行うためには、まず、該当の帯域が免許不要周波数帯（ｕｎｌｉｃｅｎｓｅｄ  ｓｐｅｃｔｒｕｍ）であるので、ＬＴＥとは無関係な他の通信（例えば、ＷｉＦｉ）システムとの競合によって該当の帯域を特定の時間区間に亘って占有／確保しなければならない（以下では、ＬＴＥ−Ｕ  ｂａｎｄにおける通信のために占有／確保された時間区間を予約リソース区間（ｒｅｓｅｒｖｅｄ  ｒｅｓｏｕｒｃｅ  ｐｅｒｉｏｄ；ＲＲＰ）と称する。）。このような予約リソース区間（ＲＲＰ）を確保するための様々な方法がある。
【０１００】
その代表としては、ＷｉＦｉなど他の通信システムデバイスにとって該当の無線チャネルが占有（ｂｕｓｙ）されることが認識できるように、特定の予約信号（ｒｅｓｅｒｖａｔｉｏｎ  ｓｉｇｎａｌ）を送信したり、予約リソース区間（ＲＲＰ）で特定の電力レベル以上の信号が絶え間なく送信されるように参照信号（ＲＳ）及びデータ信号を持続して送信する方法が可能である。
【０１０１】
このように基地局がＬＴＥ−Ｕ  ｂａｎｄを占有しようとする予約リソース区間（ＲＲＰ）をあらかじめ決定すると、これを端末にあらかじめ知らせることによって、当該知らせられた（ｉｎｄｉｃａｔｅｄ）予約リソース区間で端末が通信送／受信リンクを維持しているようにすることができる。
【０１０２】
端末に該当の予約リソース区間（ＲＲＰ）情報を知らせる方式として、搬送波集成の形態で連結されている別のＣＣ（例えば、ＬＴＥ−Ａ  ｂａｎｄ）を用いて該当の予約リソース区間（ＲＲＰ）情報を示すこともできる。
【０１０３】
競合ベースの任意接続方式で動作する非免許帯域動作の他の例として、ｅＮＢは、データ送受信前に、まずキャリアセンシング（ｃａｒｒｉｅｒ  ｓｅｎｓｉｎｇ；ＣＳ）を行うことができる。ＳＣｅｌｌの現在チャネル状態が占有（ｂｕｓｙ）か或いは遊休（ｉｄｌｅ）かをチェックし、遊休（ｉｄｌｅ）と判断されたら、ｅＮＢはＰＣｅｌｌの（Ｅ）ＰＤＣＣＨで（すなわち、ｃｒｏｓｓ  ｃａｒｒｉｅｒ  ｓｃｈｅｄｕｌｉｎｇ；ＣＣＳ）或いはＳＣｅｌｌのＰＤＣＣＨで制御情報（例えば、ｓｃｈｅｄｕｌｉｎｇ  ｇｒａｎｔ）を送信し、データ送受信を試みることができる。
【０１０４】
このとき、Ｍ個の連続したサブフレーム（ｓｕｂｆｒａｍｅ；ＳＦ）で構成された予約リソース区間（ＲＲＰ）を設定するとができる（ここで、Ｍは自然数）。ここで、Ｍ値及びＭ個のＳＦ用途を、ｅＮＢがＵＥに事前に、上位層シグナリング（ｈｉｇｈｅｒ  ｌａｙｅｒ  ｓｉｇｎａｌｉｎｇ）（ｕｓｉｎｇ  ＰＣｅｌｌ）や物理制御／データチャネル（Ｐｈｙｓｉｃａｌ  ｃｏｎｔｒｏｌ／ｄａｔａ  ｃｈａｎｎｅｌ）で知らせることができる。予約リソース区間（ＲＲＰ）の開始時点は、上位層シグナリングによって周期的に（或いは、半−静的（ｓｅｍｉ−ｓｔａｔｉｃ）に）設定されてもよい。または、ＲＲＰ開始地点をＳＦ  ＃ｎと設定しようとするとき、ＳＦ  ＃ｎで或いはＳＦ  ＃（ｎ−ｋ）で物理層シグナリング（ｐｈｙｓｉｃａｌ  ｌａｙｅｒ  ｓｉｇｎａｌｉｎｇ）によって予約リソース区間（ＲＲＰ）の開始地点が指定されてもよい。
【０１０５】
図１２は、本発明に係る予約リソース区間を示す図である。図１２を参照して、このような予約リソース区間（ＲＲＰ）を構成するサブフレームの場合、図１２（ａ）のように、サブフレームバウンダリ（ｓｕｂｆｒａｍｅ  ｂｏｕｎｄａｒｙ）及びサブフレームナンバー／インデックス（ｓｕｂｆｒａｍｅ  ｎｕｍｂｅｒ／ｉｎｄｅｘ）がＰｃｅｌｌと一致した形態の構成が可能である。図１２（ａ）のような場合を、説明の便宜のために、以下では“ａｌｉｇｎｅｄ−ＲＲＰ”と称する。
【０１０６】
或いは、図１２（ｂ）のように、サブフレームバウンダリ（ｓｕｂｆｒａｍｅ  ｂｏｕｎｄａｒｙ）又はサブフレームナンバー／インデックス（ｓｕｂｆｒａｍｅ  ｎｕｍｂｅｒ／ｉｎｄｅｘ）がＰｃｅｌｌと一致しない形態まで支援されるように構成されてもよい。図１２（ｂ）のような場合を、説明の便宜のために、“ｆｌｏａｔｉｎｇ−ＲＲＰ”と称する。
【０１０７】
本発明において、セル（ｃｅｌｌ）間サブフレームバウンダリ（ｓｕｂｆｒａｍｅ  ｂｏｕｎｄａｒｙ）が一致する、とは、異なる２個のセル（ｃｅｌｌ）のサブフレームバウンダリ（ｓｕｂｆｒａｍｅ  ｂｏｕｎｄａｒｙ）間の間隔が特定時間（例えばＣＰ  ｌｅｎｇｔｈ、或いはＸｕｓ、ここでＸ≧０）以下になることを意味できる。また、本発明においてＰｃｅｌｌとは、時間（及び／又は、周波数）同期化（ｓｙｎｃｈｒｏｎｉｚａｔｉｏｎ）の観点で、ＬＴＥ−ＵベースのＳＣｅｌｌ（以下、Ｕｃｅｌｌ）のサブフレーム（及び／又は、シンボル）バウンダリを決定するために参照する特定セル（ｃｅｌｌ）を意味することができる。
【０１０８】
前述によって、本発明では、上記で言及された非免許帯域におけるキャリアセンシング（Ｃａｒｒｉｅｒ  Ｓｅｎｓｉｎｇ；ＣＳ）動作に基づいて機会的に動作するＬＴＥ−Ｕシステムのように、可用リソース区間が非周期的或いは不連続的に確保されたり構成されるセル（或いは、キャリア）が含まれたＣＡ状況のための、効率的な（制御チャネル）探索領域（すなわち、“ＳＳ（Ｓｅａｒｃｈ  Ｓｐａｃｅ）”）の構成／運営及びモニタリング（或いは、ブラインドデコーディング）方法を提案する。
【０１０９】
本発明では、既存免許帯域で動作するＰＣｅｌｌと上記ＬＴＥ−Ｕ方式で動作するＳＣｅｌｌとのＣＡ（Ｃａｒｒｉｅｒ  Ａｇｇｒｅｇａｔｉｏｎ）状況を考慮して、説明の便宜のために、上述したように、ＬＴＥ−ＵベースのＳＣｅｌｌを“ＵＣｅｌｌ”、該当のＵＣｅｌｌで非周期的に確保／構成されるリソース区間を“ＲＲＰ（Ｒｅｓｅｒｖｅｄ  Ｒｅｓｏｕｒｃｅ  Ｐｅｒｉｏｄ）”と称する。
【０１１０】
また、予約リソース区間（ＲＲＰ）のＤＬ  ＳＦ（Ｄｏｗｎｌｉｎｋ  Ｓｕｂｆｒａｍｅ、或いは下りリンク用途に指定されたサブフレーム）上で送信されるＰＤＳＣＨ関連制御情報チャネル、或いは予約リソース区間（ＲＲＰ）のＵＬ  ＳＦ（Ｕｐｌｉｎｋ  Ｓｕｂｆｒａｍｅ、或いは上りリンク用途に指定されたサブフレーム）上で送信されるＰＵＳＣＨ関連制御情報チャネルは、ＰＣｅｌｌから送信されるように設定（すなわち、ＣＣＳ（Ｃｒｏｓｓ  Ｃａｒｒｉｅｒ  Ｓｃｈｅｄｕｌｉｎｇ））されたり、或いは同一のＵＣｅｌｌから送信（すなわち、ＳＦＳ（Ｓｅｌｆ−Ｓｃｈｅｄｕｌｉｎｇ））されるように設定されてもよい。
【０１１１】
また、予約リソース区間（ＲＲＰ）上におけるＰＤＳＣＨ受信関連下りリンク制御情報チャネルは、ｉ）１つの下りリンク制御情報チャネルが、同一時点で受信される１つのＰＤＳＣＨをスケジューリングする形態（すなわち、“ＳＳＦＳ（Ｓｉｎｇｌｅ  ＳｕｂＦｒａｍｅ  Ｓｃｈｅｄｕｌｉｎｇ）”）となってもよく、或いはｉｉ）１つの下りリンク制御情報チャネルが、同一時点で受信される１つのＰＤＳＣＨだけでなく、他の時点で受信される事前に定義されたりシグナルされた個数のＰＤＳＣＨもスケジューリングする形態（すなわち、“ＭＳＦＳ（Ｍｕｌｔｉ  ＳｕｂＦｒａｍｅ  Ｓｃｈｅｄｕｌｉｎｇ）”）となってもよい。
【０１１２】
例えば、ＵＣｅｌｌ上の予約リソース区間（ＲＲＰ）がキャリアセンシング（ＣＳ）結果に依存して非周期的或いは不連続的に構成されるリソースであることを考慮する時、ＵＥ動作及び仮定の観点で該当の予約リソース区間（ＲＲＰ）は（再）定義又は（再）解釈されてもよい。例えば、ＵＣｅｌｌにおける予約リソース区間（ＲＲＰ）は、ｉ）ＵＥがＵＣｅｌｌに対する時間／周波数同期動作を行ったり、（ｅＮＢから）そのための同期信号（例えば、ＰＳＳ、ＳＳＳ）が送信されると仮定される区間、或いはｉｉ）ＵＥがＵＣｅｌｌに対するＣＳＩ測定動作を行ったり、（ｅＮＢから）そのための参照信号（例えば、ＣＲＳ、ＣＳＩ−ＲＳ）が送信されると仮定される区間、或いはｉｉｉ）ＵＥがＵＣｅｌｌでのデータ送信（／受信）関連ＤＣＩ検出動作を行う区間、或いはｉｖ）ＵＥがＵＣｅｌｌで受信される信号に対して（一時的な或いは臨時的な）バッファリング動作を行う区間、の少なくとも一つとして（再）定義／（再）解釈されてもよい。
【０１１３】
以下では、説明の便宜のために、３ＧＰＰ  ＬＴＥシステムに基づいて提案方式を説明する。しかし、提案方式が適用されるシステムの範囲は、３ＧＰＰ  ＬＴＥシステム以外のシステムにも拡張可能である。
【０１１４】
上述した条件に基づき、ＲＲＰベースのＵＣｅｌｌが含まれたＣＡ動作のための、効率的な（制御チャネル）探索領域（ＳＳ）構成／運営及びモニタリング方法は、以下の第１方案乃至第３方案のとおりである。ここで、一例として、以下、第１方案乃至第３方案は、ＵＣｅｌｌが（ＰＣｅｌｌから）ＣＣＳ技法で利用される状況を考慮する。
【０１１５】
また、一例として、ＵＣｅｌｌ  ＲＲＰは、ｉ）いずれも、ＤＬ  ＳＦで構成されてもよく、或いはｉｉ）（事前に定義されたシグナル或いは規則によって）一部はＤＬ  ＳＦで構成され、残りはＵＬ  ＳＦで構成されてもよい。
【０１１６】
また、一例として、以下、第１方案乃至第３方案は、ＵＣｅｌｌがＳＳＦＳ技法で利用される場合、及び／又はＵＣｅｌｌがＭＳＦＳ技法で利用される場合に限って適用されるように設定されてもよい。また、一例として、以下、第１方案乃至第３方案は、ＵＣｅｌｌがＳＦＳ技法で利用される状況でも拡張適用が可能である。
【０１１７】
また、以下では、説明の便宜のために、ＣＣＳ動作関連スケジューリングセル（ＳＣＨＥＤＵＬＩＮＧ  ＣＥＬＬ）及びスケジューリングされたセル（ＳＣＨＥＤＵＬＥＤ  ＣＥＬＬ）をそれぞれ、“ＳＣＧ＿Ｃｅｌｌ”及び“ＳＣＤ＿Ｃｅｌｌ”と呼ぶ。以下では、説明の便宜のために、一例として、ＰＣｅｌｌがＵＣｅｌｌのＳＣＧ＿Ｃｅｌｌである状況を（主に）仮定するが、本発明の提案方案は、ＰＣｅｌｌではなく（免許帯域及び／又は非免許帯域ベースの）他のＳＣｅｌｌがＵＣｅｌｌのＳＣＧ＿Ｃｅｌｌである状況でも拡張適用が可能である。
【０１１８】
また、以下では、説明の便宜のために、ＵＥ−特定検索領域（ＵＥ−ＳＰＥＣＩＦＩＣ  ＳＳ）及び共通検索領域（ＣＯＭＭＯＮ  ＳＳ）をそれぞれ、“ＵＳＳ”及び“ＣＳＳ”と呼ぶ。
【０１１９】
また、一例として、以下、第１方案乃至第３方案は、ＵＣｅｌｌ  ＵＳＳ及び／又はＵＣｅｌｌ  ＣＳＳに限って適用されるように設定されてもよい。
【０１２０】
第１方案
本発明によれば、ＵＣｅｌｌが（ＰＣｅｌｌ（すなわち、ＵＣｅｌｌのＣＣＳ関連ＳＣＧ＿Ｃｅｌｌ）から）ＣＣＳ技法で用いられる時、ＵＣｅｌｌ上の非−予約リソース区間（ＮＯＮ−Ｒｅｓｅｒｖｅｄ  Ｒｅｓｏｕｒｃｅ  Ｐｅｒｉｏｄ；以下、ＵＣｅｌｌ  ＮＯＮ−ＲＲＰという。）では、ＵＥがＵＣｅｌｌ  ＳＳに対するブラインドデコーディング動作を行わないように設定されてもよい。ここで、ＵＣｅｌｌ  ＳＳは、該当のＵＣｅｌｌをＣＣＳするＰＣｅｌｌ上に構成されている。例えば、ＵＥはＵＣｅｌｌ  ＳＳに対するブラインドデコーディング動作によって、該当のＵＣｅｌｌ上で送／受信されるデータ関連スケジューリング情報を検出する。
【０１２１】
また、ＵＣｅｌｌ  ＮＯＮ−ＲＲＰ区間は、ＵＣｅｌｌ  ＲＲＰ区間を除く領域を意味し、該当のＵＣｅｌｌ  ＮＯＮ−ＲＲＰ区間ではＵＣｅｌｌ上におけるデータ送／受信動作が行われないと見なすことができる。このような方法の適用は、ＵＣｅｌｌ  ＮＯＮ−ＲＲＰ区間でＵＣｅｌｌ  ＳＳはＰＣｅｌｌ上に構成されるが、ＵＥが該当のＵＣｅｌｌ  ＳＳに対するブラインドデコーディング動作だけを行わないことと解釈することができる。
【０１２２】
第２方案
本発明によれば、ＵＣｅｌｌが（ＰＣｅｌｌ（すなわち、ＵＣｅｌｌのＣＣＳ関連ＳＣＧ＿Ｃｅｌｌ）から）ＣＣＳ技法で用いられる時、ＵＣｅｌｌ  ＮＯＮ−ＲＲＰ区間ではＰＣｅｌｌ上にＵＣｅｌｌ  ＳＳが構成されないように設定することができる。
【０１２３】
本発明によれば、ＰＣｅｌｌ上にＵＣｅｌｌ  ＳＳが構成されないので、ＵＥはＵＣｅｌｌ  ＮＯＮ−ＲＲＰ区間で該当のＵＣｅｌｌ  ＳＳに対するブラインドデコーディング動作を行わない。
【０１２４】
また、本発明によれば、ＵＣｅｌｌ  ＮＯＮ−ＲＲＰ区間で一時的にＵＣｅｌｌ（或いはＳＣｅｌｌ）が非活性化（ＤＥＡＣＴＩＶＡＴＩＯＮ）されたり、ＰＣｅｌｌだけが設定されたものと判断され得る。したがって、ＵＣｅｌｌ  ＮＯＮ−ＲＲＰ区間では、ＰＣｅｌｌ  ＳＳがＰＣｅｌｌだけが設定された場合（すなわち、単一セル（Ｓｉｎｇｌｅ  Ｃｅｌｌ）の場合）と同じ大きさ／構造で構成されてもよい。
【０１２５】
第３方案
本発明によれば、ＵＣｅｌｌ  ＮＯＮ−ＲＲＰ区間で、上述した第１方案或いは第２方案の少なくとも一部の方案が適用される場合、該当のＵＣｅｌｌ  ＮＯＮ−ＲＲＰ区間で使用／実行されないＵＣｅｌｌ  ＳＳに対するブラインドデコーディング回数は、ＰＣｅｌｌ  ＳＳに対するブラインドデコーディング動作のために再割り当て（或いは、再利用）されるように設定されてもよい。
【０１２６】
ここで、ブラインドデコーディング回数の再割り当て動作は、同じ集成レベル（ＡＧＧＲＥＧＡＴＩＯＮ  ＬＥＶＥＬ；ＡＬ）の間でのみ行われるように設定されたり、或いは事前に定義された規則によって異なる集成レベルの間でも行われるように設定されてもよい。
【０１２７】
異なる集成レベルの間にも再割り当てされる場合の例として、ブラインドデコーディング回数再割り当て動作は、集成レベル値の昇順（或いは、降順）にあらかじめ定義されたり、シグナルされた最大ブラインドデコーディング回数値を（順次に）埋めていくように設定されてもよい。ここで、ブラインドデコーディング回数再割り当て動作関連集成レベル別最大ブラインドデコーディング回数値は、互いに異なって（或いは独立して）設定されてもよい。
【０１２８】
他の例として、ＵＣｅｌｌ  ＮＯＮ−ＲＲＰ区間で、上述した第１方案或いは第２方案が適用される場合、ｉ）該当のＵＣｅｌｌ  ＮＯＮ−ＲＲＰ区間で使用／実行されないＵＣｅｌｌ  ＵＳＳ（及び／又は、ＵＣｅｌｌ  ＣＳＳ）に対するブラインドデコーディング回数は、ＰＣｅｌｌ  ＣＳＳに対するブラインドデコーディング動作のために再割り当て（或いは、再利用）されるように設定されたり、ｉｉ）該当のＵＣｅｌｌ  ＮＯＮ−ＲＲＰ区間で使用／実行されないＵＣｅｌｌ  ＵＳＳ（及び／又は、ＵＣｅｌｌ  ＣＳＳ）に対するブラインドデコーディング回数は、ＰＣｅｌｌ  ＵＳＳに対するブラインドデコーディング動作のために再割り当て（或いは、再利用）されるように設定されてもよい。
【０１２９】
ここで、ＰＣｅｌｌ  ＣＳＳブラインドデコーディング動作のために再割り当てされたＵＣｅｌｌ  ＵＳＳ（及び／又はＵＣｅｌｌ  ＣＳＳ）ブラインドデコーディング回数は、事前に定義されたシグナルの検出のためにのみ利用されるように設定されてもよい。例えば、該当のシグナルは、ＲＲＰ関連情報（例えば、ＲＲＰの始点／終点／用途情報）を知らせるために、新しく定義された（或いは、導入された）ＤＣＩと指定されてもよい。
【０１３０】
さらに、上述した本発明の実施例／設定／規則はそれぞれ、一つの独立した具現方法に該当してもよく、上述した本発明の実施例の少なくとも一部を組み合わせ／併合する形態で具現されてもよい。
【０１３１】
図１３に、本発明の一実施例に適用可能な基地局及び端末を例示する。
【０１３２】
無線通信システムにリレーが含まれる場合、バックホールリンクで通信は基地局とリレーとの間に行われ、アクセスリンクで通信はリレーと端末との間に行われる。したがって、図面に例示された基地局又は端末は状況に応じてリレーに置き換えてもよい。
【０１３３】
図１３を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ；ＲＦ）ユニット１１６を含む。プロセッサ１１２は本発明で提案した手順及び／又は方法を具現するように構成することができる。メモリ１１４はプロセッサ１１２と接続してプロセッサ１１２の動作と関連した様々な情報を保存する。ＲＦユニット１１６はプロセッサ１１２と連結接続して無線信号を送信及び／又は受信する。端末１２０は、プロセッサ１２２、メモリ１２４及びＲＦユニット１２６を含む。プロセッサ１２２は本発明で提案した手順及び／又は方法を具現するように構成することができる。メモリ１２４はプロセッサ１２２と接続してプロセッサ１２２の動作と関連した様々な情報を保存する。ＲＦユニット１２６はプロセッサ１２２と接続して無線信号を送信及び／又は受信する。基地局１１０及び／又は端末１２０は単一アンテナ又は多重アンテナを有することができる。
【０１３４】
以上に説明した実施例は本発明の構成要素及び特徴が所定の形態で結合されたものである。各構成要素又は特徴は、別の明示的言及がない限り、選択的なものとして考慮しなければならない。各構成要素又は特徴を他の構成要素や特徴と結合しない形態で実施することができる。また、一部の構成要素及び／又は特徴を結合して本発明の実施例を構成することもできる。本発明の実施例で説明される動作の順序は変更してもよい。ある実施例の一部の構成や特徴は他の実施例に含まれてもよく、又は他の実施例の対応する構成又は特徴にとって代わってもよい。特許請求の範囲で明示的な引用関係にない請求項を結合して実施例を構成したり、出願後の補正によって新しい請求項として含め得ることは明らかである。
【０１３５】
本文書で基地局によって行われると説明された特定の動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）で構成されるネットワークにおいて端末との通信のために行われる様々な動作は基地局又は基地局以外のネットワークノードによって行われ得ることは明らかである。基地局は固定局（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に言い換えてもよい。
【０１３６】
本発明に係る実施例を様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現されてもよい。
【０１３７】
ファームウェアやソフトウェアによる具現の場合、本発明の一実施例は、以上で説明された機能又は動作を実行するモジュール、手順、関数などの形態として具現することができる。ソフトウェアコードはメモリユニットに保存されてプロセッサによって駆動され得る。
【０１３８】
上記メモリユニットは上記プロセッサの内部又は外部に位置して、既に公知の様々な手段によって上記プロセッサとデータを交換することができる。
【０１３９】
本発明は、本発明の特徴から逸脱しない範囲で他の特定の形態として具体化し得ることは当業者にとって自明である。したがって、上記の詳細な説明はいずれの面においても制限的に解釈されてはならず、例示的なものとして考慮しなければならない。本発明の範囲は、添付する請求項の合理的解釈によって決定しなければならず、本発明の同等範囲内における変更はいずれも本発明の範囲に含まれる。
【産業上の利用可能性】
【０１４０】
上述したような搬送波集成（Ｃａｒｒｉｅｒ  Ａｇｇｒｅｇａｔｉｏｎ）を支援する無線通信システムにおいて端末のモニタリング方法及びそのための装置が３ＧＰＰ  ＬＴＥシステムに適用される例を中心に説明したが、３ＧＰＰ  ＬＴＥシステムの他、様々な無線通信システムにも適用可能である。
【図１】
0006454004.tif 000005
【図２】
0006454004.tif 000006
【図３】
0006454004.tif 000007
【図４】
0006454004.tif 000008
【図５】
0006454004.tif 000009
【図６】
0006454004.tif 000010
【図７】
0006454004.tif 000011
【図８】
0006454004.tif 000012
【図９】
0006454004.tif 000013
【図１０】
0006454004.tif 000014
【図１１】
0006454004.tif 000015
【図１２】
0006454004.tif 000016
【図１３】
0006454004.tif 000017